(57)【要約】【課題】情報表示物が外れにくく、情報表示物の取替え可能な情報表示物ホルダを提供する。【解決手段】この情報表示物ホルダ１は、情報表示物が配置されるプレート部３と、プレート部３に連結され、山形に折り曲げられてプレート部３上の情報表示物を支持する少なくとも一対の支持部４とを備えている。各支持部４は、プレート部３に折り曲げ可能に連なる第１板体部４１と、第１板体部４１に折り曲げ可能に連なる第２板体部４２と、第２板体部４２に連なり、プレート部３上の情報表示物の縁部をプレート部３の表面に押しつける複数の第１突出部４３と、第２板体部４２に折り曲げ可能に連なる複数の第２突出部４４とを有する。プレート部３は、複数の第２突出部４４を受け容れて第２板体部４２とプレート部３とを連結する複数の連結孔３２を有する。【選択図】図４
2020095172.tif 000002
【特許請求の範囲】
【請求項１】
情報表示物を保持する情報表示物ホルダにおいて、
前記情報表示物が配置されるプレート部と、
前記プレート部に連結され、山形に折り曲げられて前記プレート部上の前記情報表示物を支持する少なくとも一対の支持部と
を備えている
ことを特徴とする情報表示物ホルダ。
【請求項２】
前記一対の支持部がそれぞれ、
前記プレート部に折り曲げ可能に連なる第１板体部と、
前記第１板体部に折り曲げ可能に連なる第２板体部と、
前記第２板体部に連なり、前記プレート部上の前記情報表示物の縁部を前記プレート部の表面に押しつける第１突出部と、
前記第２板体部に折り曲げ可能に連なる第２突出部とを有し、
前記プレート部が、
前記第２突出部を受け容れて前記第２板体部と前記プレート部とを連結する連結孔を有する
ことを特徴とする請求項１に記載の情報表示物ホルダ。
【請求項３】
前記第２突出部が、
前記第２板体部に折り曲げ可能に連なる第１領域と、
前記第１領域に折り曲げ可能に連なる第２領域と、
前記第２領域に折り曲げ可能に連なる第３領域とを有し、
前記連結孔が、
前記第２領域と前記第３領域とが通される第１の孔と、
前記第３領域が通される第２の孔とで構成されている
ことを特徴とする請求項２に記載の情報表示物ホルダ。
【請求項４】
前記プレート部が、
前記情報表示物の裏面を露出させる第３の孔を有する
ことを特徴とする請求項１〜３のいずれか１項に記載の情報表示物ホルダ。
【請求項５】
前記プレート部が、
プレート本体と、
前記プレート本体に折り曲げ可能に設けられ、垂直方向へ積層された複数のタイヤのうちの隣接する２つのタイヤに挟まれて、複数のタイヤの外周面に前記プレート本体を支持する少なくとも１つのプレート本体支持部と
を有する
ことを特徴とする請求項１〜４のいずれか１項に記載の情報表示物ホルダ。
【請求項６】
前記プレート部と前記支持部とがプラスチックダンボールで一体に成形されていることを特徴とする請求項１〜５のいずれか１項に記載の情報表示物ホルダ。
【発明の詳細な説明】
【技術分野】
【０００１】
この発明は、情報表示物ホルダに関し、例えば鉛直方向に積層された複数のタイヤに関する情報が表示された情報表示物を保持するための情報表示物ホルダに関する。
【背景技術】
【０００２】
カー用品店、タイヤ専門店、サービスステーション等において、従来、４つのタイヤを１つの単位として鉛直方向に積層し、そのタイヤの側に配置したポップホルダにポップシートを取り付けたり、そのタイヤに接続されたポップホルダにポップシートを取り付けたりする方法が採用されている。
【０００３】
店を訪れた客は、ポップシートを通じて、展示されたタイヤの商品名等を容易に知ることができる。
【発明の概要】
【発明が解決しようとする課題】
【０００４】
上述の展示方法には次のような問題がある。
【０００５】
接着剤や両面接着テープ等を用いてポップシートをポップホルダに取り付けているため、タイヤを屋外に展示したとき、ポップシートに雨や日光が当たり、ポップシートが剥がれ易くなる。また、ポップシートを他のポップシートに取り替えることができないため、不要なポップシートはポップホルダごと廃棄せざるを得ず、資源の無駄が多かった。
【０００６】
この発明はこのような事情に鑑みてなされたもので、その課題は、情報表示物が外れにくく、情報表示物の取替えも可能な情報表示物ホルダを提供することである。
【課題を解決するための手段】
【０００７】
上述の課題を解決するため請求項１に記載の発明の情報表示物ホルダは、情報表示物を保持する情報表示物ホルダにおいて、前記情報表示物が配置されるプレート部と、前記プレート部に連結され、山形に折り曲げられて前記プレート部上の前記情報表示物を支持する少なくとも一対の支持部とを備えている  ことを特徴とする。
【０００８】
請求項２に記載の発明の情報表示物ホルダは、請求項１に記載の情報表示物ホルダにおいて、前記一対の支持部がそれぞれ、前記プレート部に折り曲げ可能に連なる第１板体部と、前記第１板体部に折り曲げ可能に連なる第２板体部と、前記第２板体部に連なり、前記プレート部上の前記情報表示物の縁部を前記プレート部の表面に押しつける第１突出部と、前記第２板体部に折り曲げ可能に連なる第２突出部とを有し、前記プレート部が、前記第２突出部を受け容れて前記第２板体部と前記プレート部とを連結する連結孔を有することを特徴とする。
【０００９】
請求項３に記載の発明の情報表示物ホルダは、請求項２に記載の情報表示物ホルダにおいて、前記第２突出部が、前記第２板体部に折り曲げ可能に連なる第１領域と、前記第１領域に折り曲げ可能に連なる第２領域と、前記第２領域に折り曲げ可能に連なる第３領域とを有し、前記連結孔が、前記第２領域と前記第３領域とが通される第１の孔と、前記第３領域が通される第２の孔とで構成されていることを特徴とする。
【００１０】
請求項４に記載の発明の情報表示物ホルダは、請求項１〜３のいずれか１項に記載の情報表示物ホルダにおいて、前記プレート部が、前記情報表示物の裏面を露出させる第３の孔を有することを特徴とする。
【００１１】
請求項５に記載の発明の情報表示物ホルダは、請求項１〜４のいずれか１項に記載の情報表示物ホルダにおいて、前記プレート部が、プレート本体と、前記プレート本体に折り曲げ可能に設けられ、垂直方向へ積層された複数のタイヤのうちの隣接する２つのタイヤに挟まれて、複数のタイヤの外周面に前記プレート本体を支持する少なくとも１つのプレート本体支持部とを有することを特徴とする。
【００１２】
請求項６に記載の発明の情報表示物ホルダは、請求項１〜５のいずれか１項に記載の情報表示物ホルダにいて、前記プレート部と前記支持部とがプラスチックダンボールで一体に成形されていることを特徴とする。
【発明の効果】
【００１３】
この発明は、情報表示物が外れにくく、情報表示物の取替え可能な情報表示物ホルダを提供することができる。
【図面の簡単な説明】
【００１４】
【図１】図１はこの発明の第１実施形態に係る情報表示物ホルダの斜視図である。
【図２】図２は図１の情報表示物ホルダの正面図である。
【図３】図３は図１の情報表示物ホルダの平面図である。
【図４】図４は図１の情報表示物ホルダの組立前の展開図である。
【図５】図５は垂直方向に積層された複数のタイヤの外周面に図１の情報表示物ホルダを装着するための情報表示物ホルダ支持部材の斜視図である。
【図６】図６は図５の情報表示物ホルダ支持部材の組立前の展開図である。
【図７】図７は図５の情報表示物ホルダ支持部材を図１の情報表示物ホルダに装着した状態を示す斜視図である。
【図８】図８は積層された複数のタイヤの外周面に図５の情報表示物ホルダ支持部材を用いて図１の情報表示物ホルダを装着した状態を示す図である。
【図９】図９は図８のIX−IX線に沿う断面図である。
【図１０】図１０はこの発明の第２実施形態に係る情報表示物ホルダの組立前の展開図である。
【図１１】図１１は図１０の情報表示物ホルダの組立後の斜視図である。
【図１２】図１２はこの発明の第３実施形態に係る情報表示物ホルダの組立前の展開図である。
【図１３】図１３は図１２の情報表示物ホルダの組立後の斜視図である。
【図１４】図１４は図１２の情報表示物ホルダの組立後の正面図である。
【図１５】図１５は図１２の情報表示物ホルダの組立後の平面図である。
【図１６】図１６はこの発明の第４実施形態に係る情報表示物ホルダの組立前の展開図である。
【発明を実施するための形態】
【００１５】
以下、この発明の実施の形態を図面に基づいて説明する。
【００１６】
この発明の第１実施形態に係る情報表示物ホルダ１は、図８、図９に示すように、鉛直方向（上下方向ＵＤに同じ）に積層された複数のタイヤ２に関する情報表示物６を保持するホルダである。情報表示物６は、例えば、鉛直方向に積層されて展示されたタイヤ２の商品名、価格、サイズ、コピー等の様々な情報が表示された紙（その紙が台紙に貼り付けられたものも含む。）や、いわゆるシート型の液晶や有機ＥＬのディスプレイ等である。
【００１７】
この実施形態の情報表示物ホルダ１は、図９に示すように、情報表示物ホルダ支持部材５を用いて、積層された複数のタイヤ２の外周面２ａに支持される。
【００１８】
この実施形態では、情報表示物ホルダ１は１枚のプラスチックダンボールにプレス加工を施すことによって形成されている（図４参照）。情報表示物ホルダ支持部材５も、１枚のプラスチックダンボールにプレス加工を施すことによって形成されている（図６参照）。この実施形態では、情報表示物ホルダ１と情報表示物ホルダ支持部材５との材料として、図示しない表側のライナと裏側のライナと両方のライナの間に等間隔に配置される複数のリブとで構成されるプラスチックダンボールが使用されている。
【００１９】
情報表示物ホルダ１を組み立てる前、情報表示物ホルダ１は平板状であり、情報表示物ホルダ支持部材５も平板状である（図４、図６参照）。なお、この発明の情報表示物ホルダ１と情報表示物ホルダ支持部材５との材質はプラスチックダンボールに限定されるものではなく、他の合成樹脂や紙製段ボール等でもよい。
【００２０】
図１〜図４に示すように、情報表示物ホルダ１は、情報表示物６（図８参照）が配置されるプレート部３と、プレート部３に連結され、山形に折り曲げられてプレート部３上の情報表示物６を支持する一対の支持部４とを備えている。
【００２１】
プレート部３は、ほぼ矩形のプレート本体３１と、プレート本体３１に設けられた複数の連結孔３２と、プレート本体３１に設けられた複数の第３の孔３２３とを有する。
【００２２】
各支持部４は、プレート部３のプレート本体３１に折り曲げ可能に連なる１つの第１板体部４１と、第１板体部４１に折り曲げ可能に連なる１つの第２板体部４２と、第２板体部４２に連なり、プレート部３上の情報表示物６の縁部をプレート部３の表面に押しつける複数の第１突出部４３と、第２板体部４２に折り曲げ可能に連なる複数の第２突出部４４とを有する。第１板体部４１、第２板体部４２、第１突出部４３及び第２突出部４４の形状はいずれもほぼ矩形である。連結孔３２は第２突出部４４を受け容れて第２板体部４２とプレート本体３１とを連結する。
【００２３】
情報表示物ホルダ１には、第１折曲線Ｎ１〜第５折曲線Ｎ５が形成されている。第１折曲線Ｎ１〜第５折曲線Ｎ５は一方のライナとリブとに入れた切れ込み（いわゆるハーフカット）である。第１折曲線Ｎ１〜第５折曲線Ｎ５は互いに平行である。
【００２４】
第２突出部４４は、第２板体部４２に折り曲げ可能に連なる第１領域４４１と、第１領域４４１に折り曲げ可能に連なる第２領域４４２と、第２領域４４２に折り曲げ可能に連なる第３領域４４３とを有する。
【００２５】
連結孔３２は、第２領域４４２と第３領域４４３とが通される第１の孔３２１と、第３領域４４３が通される第２の孔３２２とで構成されている。
【００２６】
第１折曲線Ｎ１はプレート部３のプレート本体３１と第１板体部４１とを区分し、第２折曲線Ｎ２は第１板体部４１と第２板体部４２とを区分し、第３折曲線Ｎ３は第２板体部４２と第１突出部４３とを区分し、第４折曲線Ｎ４は第１突出部４３と第２突出部４４とを区分する。
【００２７】
第１突出部４３と第２突出部４４とは、情報表示物ホルダ１を組み立てる前、第１折曲線Ｎ１と平行な方向に沿って交互に配置されている（図４参照）。
【００２８】
情報表示物ホルダ支持部材５は、図５、図６、図８、図９に示すように、鉛直方向に積層された複数のタイヤ２のうちの隣り合う２つのタイヤ２に挟まれる板状の本体５１と、本体５１に設けられ、隣り合う２つのタイヤ２の少なくとも一方のタイヤ２の中心孔ｈに入り込み、隣り合う２つのタイヤ２間から本体５１の抜けを妨げるストッパ部５２と、第６折曲線Ｎ６を介して本体５１に折り曲げ可能に連結された連結部５３とを備えている。
【００２９】
この実施形態では、連結部５３の片面をホルダ本体４の裏面の所定位置に接着剤等で接着して、情報表示物ホルダ支持部材５を情報表示物ホルダ１に連結した。
【００３０】
ストッパ部５２は本体５１に折り曲げ可能に連なる。ストッパ部５２は山形に折れ曲げ可能である。山形に折り曲げられたストッパ部５２は、本体５１に形成された孔５１ａに挿入されて本体５１に連結される。ストッパ部５２の先端部には、孔５１ａの周縁部に引っ掛ける切欠き５２ａが設けられている。
【００３１】
図６に示すように、この実施形態では、プレス加工において、本体５１と連結部５３とストッパ部５２とがそれぞれ所定形状に形成されるとともに、本体５１の孔５１ａが形成され、更に、本体５１と連結部５３とを区分する第６折曲線Ｎ６と、本体５１とストッパ部５２とを区分する第７折曲線Ｎ７と、ストッパ部５２を固定端側領域Ａ２と自由端側領域Ａ１とに区分する第８折曲線Ｎ８とが形成される。第６折曲線Ｎ６は本体５１に対して連結部５３を折り曲げ易くするための単なる折れ目である。第７折曲線Ｎ７は本体５１に対してストッパ部５２を折り曲げ易くするための切れ込みである。第８折曲線Ｎ８は固定端側領域Ａ２と自由端側領域Ａ１とを山形に折り曲げ易くするための切れ込みである。第６折曲線Ｎ６〜第８折曲線Ｎ８は互いに平行である。
【００３２】
情報表示物ホルダ１や情報表示物ホルダ支持部材５は、収納スペースが小さくて済むよう二次元形状の状態（図４、図６に示す状態）で倉庫に収納される。
【００３３】
次に、情報表示物ホルダ１と情報表示物ホルダ支持部材５との組立方法の一例を説明する。
【００３４】
まず、情報表示物ホルダ１の組立方法の一例を説明する。
【００３５】
支持部４を山形に折り曲げ、第２突出部４４の第２領域４４２と第３領域４４３とをプレート部３の連結孔３２の第１の孔３２１に挿入し、第２突出部４４の第３領域４４３をプレート部３の連結孔３２の第２の孔３２２に挿入する。その結果、第２板体部４２とプレート部３のプレート本体３１とが連結される。
【００３６】
その後、情報表示物６をプレート部３上に配置する。このとき、情報表示物６の両側部がプレート部３と第１突出部４３とに挟まれるようにする。その結果、第１突出部４３が撓み、プレート部３上の情報表示物６の両側部がプレート部３のプレート本体３１の表面に押しつけられる。
【００３７】
このようにして、情報表示物ホルダ１の組立が完了し、情報表示物６が情報表示物ホルダ１に保持される。
【００３８】
次に、情報表示物ホルダ支持部材５の組立方法の一例を説明する。
【００３９】
ストッパ部５２を起こして山形に折り曲げ、ストッパ部５２の先端部を本体５１の孔５１ａに挿入する。ストッパ部５２の先端部を本体５１の孔５１ａに挿入すると、ストッパ部５２の先端部の切欠き５２ａが孔５１ａの周縁部に引っ掛かり、ストッパ部５２が本体５１に連結される。
【００４０】
このようにして、情報表示物ホルダ支持部材５の組立が完了する。
【００４１】
次に、情報表示物ホルダ１の使用方法の一例を説明する。なお、予め、台７に４つのタイヤ２が鉛直方向に積層されているものとする。また、予め情報表示物６は情報表示物ホルダ１に保持されているものとする。
【００４２】
情報表示物ホルダ１を使用するには、まず、例えば接着剤や両面接着テープ等の固着手段で、情報表示物ホルダ支持部材５の連結部５３の片面をプレート部３の裏面の所定位置に固着する。その結果、情報表示物ホルダ支持部材５と情報表示物ホルダ１とが接続される。
【００４３】
その後、４つのタイヤ２のうち、上から一番目のタイヤ２を持ち上げ、情報表示物ホルダ支持部材５の本体５１を二番目のタイヤ２に載せる。このとき山形のストッパ部５２の頂点を上方へ向けるとともに、情報表示物ホルダ１のプレート部３とタイヤ２の外周面２ａとを対向させる。
【００４４】
最後に、上から一番目のタイヤ２をもとに戻し、その一番目のタイヤ２と二番目のタイヤ２とで情報表示物ホルダ支持部材５の本体５１を挟む（図９参照）。
【００４５】
情報表示物ホルダ支持部材５の本体５１が、上述のように上から一番目のタイヤ２と二番目のタイヤ２とで挟まれるので、情報表示物ホルダ１は情報表示物ホルダ支持部材５によって支持される。もし、何らかの原因によって外力が情報表示物ホルダ１に作用したり、積層された４つのタイヤ２に作用したりして、タイヤ２の整列状態が不安定になり、情報表示物ホルダ支持部材５の本体５１が水平方向へ移動しようとしても、ストッパ部５２が上から一番目のタイヤ２の中心孔ｈに入り込んでおり、ストッパ部５２が一番目のタイヤ２の内周縁２ｂに引っ掛かるので、本体５１の水平方向への移動は妨げられ、本体５１は上から一番目と二番目のタイヤ２との間から抜けない。
【００４６】
また、第１突出部４３によってプレート部３上の情報表示物６の縁部（第１実施形態では情報表示物６の両側部）がプレート部３の表面に押しつけられるので、情報表示物６が雨や日光に当たっても情報表示物６が剥がれにくい。また、情報表示物６をプレート部３に接着剤で固着していないので、プレート部３の連結孔３２から第２突出部４４を引き抜くことにより、情報表示物６をプレート部３から外せるので、情報表示物６を他の情報表示物６に簡単に取り替えることができる。
【００４７】
第１実施形態は、情報表示物６を簡単に取り替えることができ、情報表示物ホルダ１を何度でも使用することもできるので、省資源に資する。また、外力によって情報表示物ホルダ１が外れたり、位置ずれしたりするのをより確実に妨げることができる。
【００４８】
また、プレート部３のプレート本体３１の裏面に図示しない粘着テープを貼って第３の孔３２３を塞ぐとともに、その粘着テープの粘着面を情報表示物６の裏面に押しつけることにより、情報表示物６に対する情報表示物ホルダ１の保持力を補強することができる。
【００４９】
次に、この発明の第２実施形態を図１０、図１１に基づいて説明する。
【００５０】
上述の第１実施形態と共通する部分については同一符号を付してその説明を省略する。以下、上述の第１実施形態との主な相違部分についてだけ説明する。下記相違部分を除き、第２実施形態は第１実施形態と同じ構成を有する。
【００５１】
第１実施形態の情報表示物ホルダ１は、情報表示物ホルダ支持部材５を用いて、積層された複数のタイヤ２の外周面２ａに支持されるが（図９参照）、第２実施形態の情報表示物ホルダ１０１は、情報表示物ホルダ支持部材５と同等の機能を有するプレート本体支持部１０５を有する。
【００５２】
プレート本体支持部１０５は、プレート部３のプレート本体３１に折り曲げ可能に設けられ、垂直方向へ積層された複数のタイヤ２のうちの隣接する２つのタイヤ２に挟まれて、複数のタイヤ２の外周面２ａにプレート本体３１を支持する。
【００５３】
第９折曲線Ｎ９はプレート部３のプレート本体３１と本体５１とを区分する。第９折曲線Ｎ９はプレート本体３１に対して本体５１を折り曲げ易くするための単なる折れ目である。
【００５４】
第２実施形態は、第１実施形態と同様の効果を奏するとともに、プレート本体支持部１０５がプレート本体３１に一体に連結されているので、情報表示物ホルダ１０１を使用する際の作業性が向上する。
【００５５】
次に、この発明の第３実施形態を図１２〜図１５に基づいて説明する。
【００５６】
上述の第１実施形態と共通する部分については同一符号を付してその説明を省略する。以下、上述の第１実施形態との主な相違部分についてだけ説明する。下記相違部分を除き、第３実施形態は第１実施形態と同じ構成を有する。
【００５７】
第１、第２実施形態では、鉛直方向に積層された４つのタイヤ２で構成される１つのタイヤ群に対して情報表示物ホルダ１，１０１を縦長に配置したが、第３実施形態では、鉛直方向に積層された４つのタイヤ２で構成される２つのタイヤ群に対して情報表示物ホルダ２０１を横長に配置した。
【００５８】
プレート本体支持部２０５は、プレート本体３１に折り曲げ可能に設けられ、垂直方向へ積層された複数のタイヤ２のうちの隣接する２つのタイヤ２に挟まれて、複数のタイヤ２の外周面２ａにプレート本体３１を支持する。
【００５９】
第１０折曲線Ｎ１０はプレート部３のプレート本体３１と本体５１とを区分する。第１０折曲線Ｎ１０はプレート本体３１に対して本体５１を折り曲げ易くするための単なる折れ目である。
【００６０】
第３実施形態は、第２実施形態と同様の効果を奏するとともに、隣接する２つのタイヤ群が情報表示物ホルダ２０１を介して連結されるので、タイヤ２の整列状態の安定性が一層向上する。
【００６１】
次に、この発明の第４実施形態を図１６に基づいて説明する。
【００６２】
上述の第１実施形態と共通する部分については同一符号を付してその説明を省略する。以下、上述の第１実施形態との主な相違部分についてだけ説明する。下記相違部分を除き、第４実施形態は第１実施形態と同じ構成を有する。
【００６３】
第３実施形態では、鉛直方向に積層された４つのタイヤ２で構成される２つのタイヤ群に対して情報表示物ホルダ２０１を横長に配置したが、第４実施形態では、鉛直方向に積層された４つのタイヤ２で構成される１つのタイヤ群に対して、情報表示物ホルダ２０１のほぼ半分のサイズの情報表示物ホルダ３０１を配置した。
【００６４】
第４実施形態は、第１実施形態と同様の効果を奏する。
【００６５】
なお、情報表示物ホルダ支持部材５はストッパ部５２や孔５ａを有するが、情報表示物ホルダ支持部材としては、情報表示物ホルダ１を積層された複数のタイヤ２の外周面２ａに支持することができればよいので、ストッパ部５２や孔５ａを有さないＬ字形のプレート又はＬ字形に折り曲げ可能なプレートでもよい。
【００６６】
また、プレート本体支持部１０５，２０５もストッパ部５２や孔５ａを有するが、プレート本体支持部としては、ストッパ部５２や孔５ａを有さない単純な形状でもよい。
【符号の説明】
【００６７】
１，１０１，２０１，３０１  情報表示物ホルダ
２  タイヤ
２ａ  タイヤの外周面
２ｂ  タイヤの内周縁
３  プレート部
３１  プレート本体
３２  連結孔
３２１  第１の孔
３２２  第２の孔
３２３  第３の孔
４  支持部
４１  第１板体部
４２  第２板体部
４３  第１突出部
４４  第２突出部
４４１  第１領域
４４２  第２領域
４４３  第３領域
５  情報表示物ホルダ支持部材
５ａ  孔
５１  本体
５２  ストッパ部
５２ａ  切欠き
５３  連結部
Ａ１  自由端側領域
Ａ２  固定端側領域
１０５，２０５  プレート本体支持部
６  情報表示物
７  台
ｈ  タイヤの中心孔
Ｎ１〜Ｎ１０  第１折曲線〜第１０折曲線
ＵＤ  上下方向
ＬＲ  左右方向
ＦＲ  前後方向
【図１】
2020095172.tif 000003
【図２】
2020095172.tif 000004
【図３】
2020095172.tif 000005
【図４】
2020095172.tif 000006
【図５】
2020095172.tif 000007
【図６】
2020095172.tif 000008
【図７】
2020095172.tif 000009
【図８】
2020095172.tif 000010
【図９】
2020095172.tif 000011
【図１０】
2020095172.tif 000012
【図１１】
2020095172.tif 000013
【図１２】
2020095172.tif 000014
【図１３】
2020095172.tif 000015
【図１４】
2020095172.tif 000016
【図１５】
2020095172.tif 000017
【図１６】
2020095172.tif 000018
【手続補正書】
【提出日】令和1年11月11日(2019.11.11)
【手続補正１】
【補正対象書類名】明細書
【補正対象項目名】０００７
【補正方法】変更
【補正の内容】
【０００７】
上述の課題を解決するため請求項１に記載の発明の情報表示物ホルダは、情報表示物を保持する情報表示物ホルダにおいて、前記情報表示物が配置されるプレート部と、前記プレート部に連結され、山形に折り曲げられて前記プレート部上の前記情報表示物を前記プレート部に押しつけて支持する少なくとも一対の支持部とを備えていることを特徴とする。
【手続補正２】
【補正対象書類名】特許請求の範囲
【補正対象項目名】全文
【補正方法】変更
【補正の内容】
【特許請求の範囲】
【請求項１】
情報表示物を保持する情報表示物ホルダにおいて、
前記情報表示物が配置されるプレート部と、
前記プレート部に連結され、山形に折り曲げられて前記プレート部上の前記情報表示物を前記プレート部に押しつけて支持する少なくとも一対の支持部と
を備えている
ことを特徴とする情報表示物ホルダ。
【請求項２】
前記一対の支持部がそれぞれ、
前記プレート部に折り曲げ可能に連なる第１板体部と、
前記第１板体部に折り曲げ可能に連なる第２板体部と、
前記第２板体部に連なり、前記プレート部上の前記情報表示物の縁部を前記プレート部の表面に押しつける第１突出部と、
前記第２板体部に折り曲げ可能に連なる第２突出部とを有し、
前記プレート部が、
前記第２突出部を受け容れて前記第２板体部と前記プレート部とを連結する連結孔を有する
ことを特徴とする請求項１に記載の情報表示物ホルダ。
【請求項３】
前記第２突出部が、
前記第２板体部に折り曲げ可能に連なる第１領域と、
前記第１領域に折り曲げ可能に連なる第２領域と、
前記第２領域に折り曲げ可能に連なる第３領域とを有し、
前記連結孔が、
前記第２領域と前記第３領域とが通される第１の孔と、
前記第３領域が通される第２の孔とで構成されている
ことを特徴とする請求項２に記載の情報表示物ホルダ。
【請求項４】
前記プレート部が、
前記情報表示物の裏面を露出させる第３の孔を有する
ことを特徴とする請求項１〜３のいずれか１項に記載の情報表示物ホルダ。
【請求項５】
前記プレート部が、
プレート本体と、
前記プレート本体に折り曲げ可能に設けられ、垂直方向へ積層された複数のタイヤのうちの隣接する２つのタイヤに挟まれて、複数のタイヤの外周面に前記プレート本体を支持する少なくとも１つのプレート本体支持部と
を有する
ことを特徴とする請求項１〜４のいずれか１項に記載の情報表示物ホルダ。
【請求項６】
前記プレート部と前記支持部とがプラスチックダンボールで一体に成形されていることを特徴とする請求項１〜５のいずれか１項に記載の情報表示物ホルダ。
【手続補正書】
【提出日】令和2年3月3日(2020.3.3)
【手続補正１】
【補正対象書類名】明細書
【補正対象項目名】０００７
【補正方法】変更
【補正の内容】
【０００７】
上述の課題を解決するため請求項１に記載の発明の情報表示物ホルダは、情報表示物を保持する情報表示物ホルダにおいて、前記情報表示物が配置されるプレート部と、前記プレート部に連結され、山形に折り曲げられて前記プレート部上の前記情報表示物を前記プレート部に押しつけて支持する少なくとも一対の支持部とを備え、前記一対の支持部は、前記プレート部上に前記情報表示物が配置されていないとき、前記プレート部に接していることを特徴とする。
【手続補正２】
【補正対象書類名】特許請求の範囲
【補正対象項目名】全文
【補正方法】変更
【補正の内容】
【特許請求の範囲】
【請求項１】
情報表示物を保持する情報表示物ホルダにおいて、
前記情報表示物が配置されるプレート部と、
前記プレート部に連結され、山形に折り曲げられて前記プレート部上の前記情報表示物を前記プレート部に押しつけて支持する少なくとも一対の支持部と
を備え、
前記一対の支持部は、前記プレート部上に前記情報表示物が配置されていないとき、前記プレート部に接している 
ことを特徴とする情報表示物ホルダ。
【請求項２】
前記一対の支持部がそれぞれ、
前記プレート部に折り曲げ可能に連なる第１板体部と、
前記第１板体部に折り曲げ可能に連なる第２板体部と、
前記第２板体部に連なり、前記プレート部上の前記情報表示物の縁部を前記プレート部の表面に押しつける第１突出部と、
前記第２板体部に折り曲げ可能に連なる第２突出部とを有し、
前記プレート部が、
前記第２突出部を受け容れて前記第２板体部と前記プレート部とを連結する連結孔を有する
ことを特徴とする請求項１に記載の情報表示物ホルダ。
【請求項３】
前記第２突出部が、
前記第２板体部に折り曲げ可能に連なる第１領域と、
前記第１領域に折り曲げ可能に連なる第２領域と、
前記第２領域に折り曲げ可能に連なる第３領域とを有し、
前記連結孔が、
前記第２領域と前記第３領域とが通される第１の孔と、
前記第３領域が通される第２の孔とで構成されている
ことを特徴とする請求項２に記載の情報表示物ホルダ。
【請求項４】
前記プレート部が、
前記情報表示物の裏面を露出させる第３の孔を有する
ことを特徴とする請求項１〜３のいずれか１項に記載の情報表示物ホルダ。
【請求項５】
前記プレート部が、
プレート本体と、
前記プレート本体に折り曲げ可能に設けられ、垂直方向へ積層された複数のタイヤのうちの隣接する２つのタイヤに挟まれて、複数のタイヤの外周面に前記プレート本体を支持する少なくとも１つのプレート本体支持部と
を有する
ことを特徴とする請求項１〜４のいずれか１項に記載の情報表示物ホルダ。
【請求項６】
前記プレート部と前記支持部とがプラスチックダンボールで一体に成形されていることを特徴とする請求項１〜５のいずれか１項に記載の情報表示物ホルダ。